(57)【要約】【課題】圃場の管理者等が、圃場のすべての施肥量計画を設計することの煩雑さを解消すると共に、各圃場の実情に合った特徴ある施肥量計画も設計することができる施肥量情報管理装置等を提供すること。【解決手段】測定された植物の生育情報である測定生育情報２４に基づいて、圃場の部分である圃場部分毎の施肥量計画情報５６を生成すると共に、生成された施肥量計画情報を表示部１６に表示し、この表示部に表示された圃場毎の施肥量計画情報に基づいて、圃場部分毎に修正すべき修正施肥量計画情報６５を入力することが可能な施肥量情報管理装置１０。【選択図】図２０
2018042524.tif 000002
【特許請求の範囲】
【請求項１】
測定された植物の生育情報である測定生育情報に基づいて、圃場の部分である圃場部分毎の施肥量計画情報を生成すると共に、生成された前記施肥量計画情報を表示部に表示し、
この表示部に表示された圃場毎の施肥量計画情報に基づいて、前記圃場部分毎に修正すべき修正施肥量計画情報を入力することが可能な構成となっていることを特徴とする施肥量情報管理装置。
【請求項２】
前記修正施肥量計画情報は、前記表示部に表示されている前記施肥量計画情報に、色彩情報を付加して行われ、
前記色彩情報と前記修正施肥量計画情報は、それぞれ関連付けて記憶されており、
同一の前記色彩情報には、単一の前記修正施肥量計画情報のみが関連付けて記憶される構成となっていることを特徴とする請求項１に記載の施肥量情報管理装置。
【請求項３】
前記修正施肥量計画情報の入力が、入力対象の圃場の前記圃場部分と、前記圃場部分以外を含む概略範囲情報を介して実行されたときは、この概略範囲情報から前記圃場部分以外の部分を除いて、前記修正施肥量計画情報を入力することを特徴とする請求項１又は請求項２に記載の施肥量情報管理装置。
【請求項４】
前記修正施肥量計画情報を入力する画面では、同時に、既に関連付けて記憶されている前記色彩情報と前記修正施肥量計画情報も同時に、前記表示部に表示されることを特徴とする請求項１乃至請求項３のいずれか１項に記載の施肥量情報管理装置。
【請求項５】
測定された植物の生育情報である測定生育情報に基づいて、圃場の部分である圃場部分毎の施肥量計画情報を生成すると共に、生成された前記施肥量計画情報を表示部に表示し
この表示部に表示された圃場毎の施肥量計画情報に基づいて、前記圃場部分毎に修正すべき修正施肥量計画情報を入力することが可能な構成となっていることを特徴とする施肥量情報管理装置の制御方法。
【請求項６】
圃場に対して供給する施肥量情報を管理する施肥量情報管理装置に、測定された植物の生育情報である測定生育情報に基づいて、圃場の部分である圃場部分毎の施肥量計画情報を生成させると共に、生成された前記施肥量計画情報を表示部に表示させる工程と、
この表示部に表示された圃場毎の施肥量計画情報に基づいて、前記圃場部分毎に修正すべき修正施肥量計画情報を入力することが可能な工程を、実行させるための施肥量情報管理プログラム。
【発明の詳細な説明】
【技術分野】
【０００１】
本発明は、圃場内の植物等の生育状況に応じた施肥量情報を管理する施肥量情報管理装置、施肥量情報管理装置の制御方法及び施肥量情報管理プログラムに関するものである。
【背景技術】
【０００２】
従来から作物等の植物を栽培する圃場における植物の生育状況のデータを収集するための装置が提案されている（例えば、特許文献１）。
また、圃場の管理者等は、このような圃場の生育状況のデータに基づき、将来、圃場に散布等する肥料の施肥量の計画を設計することとなる。
【先行技術文献】
【特許文献】
【０００３】
【特許文献１】特開２０１２―２４７２３５号公報
【発明の概要】
【発明が解決しようとする課題】
【０００４】
しかし、圃場の管理者等が圃場の各部分について、それぞれ自ら将来の施肥量計画を設計するのでは、管理者等に煩雑な作業を強いるという問題があった。
一方で、圃場の各部分の生育状況のデータ等に基づき、装置等が特定のアルゴリズムに従って、自動的に、各部分の施肥量計画を設計することも考えられるが、各圃場は、その地理的、気候的若しくは土壌状況等の条件が異なり、施肥量計画を一律に作成すると、圃場によっては実情と合致しない施肥量計画となるという問題もあった。
【０００５】
そこで、本発明は、圃場の管理者等が、圃場のすべての施肥量計画を設計することの煩雑さを解消すると共に、各圃場の実情に合った特徴ある施肥量計画も設計することができる施肥量情報管理装置、施肥量情報管理装置の制御方法及び施肥量情報管理プログラムを提供することを目的とする。
【課題を解決するための手段】
【０００６】
前記目的は、本発明によれば、測定された植物の生育情報である測定生育情報に基づいて、圃場の部分である圃場部分毎の施肥量計画情報を生成すると共に、生成された前記施肥量計画情報を表示部に表示し、この表示部に表示された圃場毎の施肥量計画情報に基づいて、前記圃場部分毎に修正すべき修正施肥量計画情報を入力することが可能な構成となっていることを特徴とする施肥量情報管理装置により達成される。
【０００７】
前記構成によれば、測定生育情報（植生指数情報等）に基づいて、圃場の部分である圃場部分（グリッド等）毎の施肥量計画情報（施肥量マップ情報等）を生成し、生成された施肥量計画情報が表示部（ディスプレイ等）に表示される。
このため、利用者は、自己の圃場の全体の施肥量計画情報を自動的に取得でき、測定生育情報から自ら施肥量計画情報を作成するという煩雑な作業から解放されることになる。
【０００８】
また、利用者は、表示部に表示された施肥量計画情報を視認しながら、修正施肥量計画情報を圃場部分毎に入力することができる。
したがって、利用者は、圃場部分毎に表示されている施肥量計画を容易に変更等することができる。
このように本発明では、利用者の煩雑な作業を可能な限り削減し、併せて各圃場の実情にあった特徴ある施肥量計画も実現することができる。
【０００９】
好ましくは、前記修正施肥量計画情報は、前記表示部に表示されている前記施肥量計画情報に、色彩情報を付加して行われ、前記色彩情報と前記修正施肥量計画情報は、それぞれ関連付けて記憶されており、同一の前記色彩情報には、単一の前記修正施肥量計画情報のみが関連付けて記憶される構成となっていることを特徴とする。
【００１０】
前記構成によれば、色彩の特定が、具体的な修正施肥量計画情報（１２ｋｇ／１０ａ等）となっているので、記憶されている色彩を表示部に表示されている施肥量計画情報に、付加するだけで、自動的に修正施肥量計画情報が入力され、反映される。
したがって、利用者の修正作業は、数値等を入力することなく、単に色彩情報の選択等で足りる。
このため、利用者にとって、極めて修正作業をし易い構成となっている。
【００１１】
また、前記構成では、同一の前記色彩情報には、単一の前記修正施肥量計画情報のみが関連付けて記憶され、同一の色彩情報に複数の修正施肥量計画情報が関連付けられることを拒絶する構成となっている。
したがって、操作者が、色彩情報と修正施肥量計画情報との関連付けを追加等するとき、間違って、異なる修正施肥量計画情報を施肥量計画情報に付加することを未然に防止することができる構成ともなっている。
【００１２】
好ましくは、前記修正施肥量計画情報の入力が、入力対象の圃場の前記圃場部分と、前記圃場部分以外を含む概略範囲情報を介して実行されたときは、この概略範囲情報から前記圃場部分以外の部分を除いて、前記修正施肥量計画情報を入力することを特徴とする。
【００１３】
前記構成によれば、利用者は、正確に修正対象の圃場部分を指定することなく、対象の圃場部分以外の部分も含む概略範囲情報（例えば、矩形等）で指定すれば指定は足りる。
そして、圃場部分以外は自動的に修正施肥量計画情報の対象外となるので、利用者にとって使い易い装置となっている。
【００１４】
好ましくは、前記修正施肥量計画情報を入力する画面では、同時に、既に関連付けて記憶されている前記色彩情報と前記修正施肥量計画情報も同時に、前記表示部に表示されることを特徴とする。
【００１５】
前記構成によれば、利用者は、自己が選択する修正施肥量計画情報に対応する色彩情報を同じ画面で視認し，選択可能なので、選択し易く、操作し易い構成となっている。
【００１６】
前記目的は、本発明によれば、測定された植物の生育情報である測定生育情報に基づいて、圃場の部分である圃場部分毎の施肥量計画情報を生成すると共に、生成された前記施肥量計画情報を表示部に表示し、この表示部に表示された圃場毎の施肥量計画情報に基づいて、前記圃場部分毎に修正すべき修正施肥量計画情報を入力することが可能な構成となっていることを特徴とする施肥量情報管理装置の制御方法により達成される。
【００１７】
前記目的は、本発明によれば、圃場に対して供給する施肥量情報を管理する施肥量情報管理装置に、測定された植物の生育情報である測定生育情報に基づいて、圃場の部分である圃場部分毎の施肥量計画情報を生成させると共に、生成された前記施肥量計画情報を表示部に表示させる工程と、この表示部に表示された圃場毎の施肥量計画情報に基づいて、前記圃場部分毎に修正すべき修正施肥量計画情報を入力することが可能な工程を、実行させるための施肥量情報管理プログラムにより達成される。
【発明の効果】
【００１８】
本発明は、圃場の管理者等が、圃場のすべての施肥量計画を設計することの煩雑さを解消すると共に、各圃場の実情に合った特徴ある施肥量計画も設計することができる施肥量情報管理装置、施肥量情報管理装置の制御方法及び施肥量情報管理プログラムを提供することができるという利点がある。
【図面の簡単な説明】
【００１９】
【図１】本発明の施肥量情報管理装置を搭載するトラクタの主な構成を示す概略ブロック図である。
【図２】トラクタに搭載されている施肥量情報管理装置のレーザ発光装置のレーザ光が植物に照射され、その反射光がレーザ受光部で受光されている状態を示す概略図である。
【図３】第１の各種情報記憶部の主な構成を示す概略ブロック図である。
【図４】第２の各種情報記憶部の主な構成を示す概略ブロック図である。
【図５】第３の各種情報記憶部の主な構成を示す概略ブロック図である。
【図６】第４の各種情報記憶部の主な構成を示す概略ブロック図である。
【図７】第５の各種情報記憶部の主な構成を示す概略ブロック図である。
【図８】第６の各種情報記憶部の主な構成を示す概略ブロック図である。
【図９】利用者が圃場Ｘに肥料等を供給するための情報を示す「施肥量マップ」を生成等する工程を示す概略フローチャートである。
【図１０】利用者が圃場Ｘに肥料等を供給するための情報を示す「施肥量マップ」を生成等する工程を示す他の概略フローチャートである。
【図１１】利用者が圃場Ｘに肥料等を供給するための情報を示す「施肥量マップ」を生成等する工程を示す他の概略フローチャートである。
【図１２】圃場の植生指数情報に基づいて、情報が存在する地図情報の地点に丸印を付した「第１次生育データ表示情報」を示す概略説明図である。
【図１３】図１２の圃場にグリッド情報を組み合わせた「グリッド付き第１次生育データ表示情報」を示す概略説明図である。
【図１４】ディスプレイに示された圃場Ｘの生育マップ情報を示す概略説明図である。
【図１５】ディスプレイに表示された圃場の施肥量マップ情報を示す概略説明図である。
【図１６】任意施肥量指定工程を示す概略フローチャートである。
【図１７】任意施肥量指定工程を示す他の概略フローチャートである。
【図１８】任意施肥量のウインドウが開いた情報の画面例を示す概略説明図である。
【図１９】追加ウインドウを示す概略説明図である。
【図２０】「現在の任意施肥量」及び「施肥量の指定」等の項目の画面例を示す概略説明図である。
【発明を実施するための形態】
【００２０】
以下、この発明の好適な実施の形態を添付図面等を参照しながら、詳細に説明する。
尚、以下に述べる実施の形態は、本発明の好適な具体例であるから、技術的に好ましい種々の限定が付されているが、本発明の範囲は、以下の説明において特に本発明を限定する旨の記載がない限り、これらの態様に限られるものではない。
【００２１】
図１は、本発明の施肥量情報管理装置１０を搭載するトラクタ１の主な構成を示す概略ブロック図である。
図１に示すように、トラクタ１に搭載する施肥量情報管理装置１０は、ＧＰＳ装置１２を有している。
このＧＰＳ装置１２は、グローバル・ポジショニング・システム（Ｇｌｏｂａｌ  Ｐｏｓｉｔｉｏｎｉｎｇ  Ｓｙｓｔｅｍ、全地球測位システム）を利用することで、当該トラクタ１の位置情報（緯度、経度情報）を取得することができる装置である。
また、施肥量情報管理装置１０は、「レーザ発光装置１３」及び「レーザ受光部１４」を有している。
【００２２】
これら「レーザ発光装置１３」及び「レーザ受光部１４」等の機能等については、図２を用いて説明する。
図２は、トラクタ１に搭載されている施肥量情報管理装置１０のレーザ発光装置１３のレーザ光が植物Ｐに照射され、その反射光がレーザ受光部１４で受光されている状態を示す概略図である。
【００２３】
図１に示すレーザ発光装置１３は、異なる波長を有する「第１の測定光」と「第２の測定光」を有し、第１測定光としては、例えば、赤の波長帯域の光であり、第２の測定光としては、例えば、赤外の波長帯域の光である。
これら第１の測定光と第２の測定光は、図２に示すように、同一の植物Ｐに対し照射される。
【００２４】
そして、この反射光を図１のレーザ受光部１４が受光し、それらの反射率を取得することで、当該植物Ｐの生育状態、具体的には、植物Ｐに含まれる栄養素の量を把握することができる構成となっている。
この栄養素の量は、植物の生育情報である測定生育情報である例えば、正規化差植生指数（ＮＤＶＩ）情報（以下「植生指数情報」という。）であるが、この正規化差植生指数（ＮＤＶＩ）情報については後述する。
【００２５】
なお、本実施の形態では、植物の生育情報をレーザ光で測定したが、本発明はこれに限らず、衛星写真、生育状況を測定できるセンサを搭載したドローン、若しくは作業員が現地で手作業にて生育情報を取得しても構わない。
【００２６】
また、図１の施肥量情報管理装置１０は、他に時刻情報を生成する「時計１５」，各種情報を表示する表示部である例えば、「ディスプレイ１６」、そして、各種情報を入力する各種情報入力装置１７等も有している。
そして、施肥量情報管理装置１０は、これらＧＰＳ装置１２等を制御する「施肥量情報管理装置制御部１１」を有している。
【００２７】
施肥量情報管理装置制御部１１は、図１に示す「第１の各種情報記憶部２０」、「第２の各種情報記憶部３０」、「第３の各種情報記憶部４０」、「第４の各種情報記憶部５０」、「第５の各種情報記憶部６０」及び「第６の各種情報記憶部７０」も制御する。
図３乃至図８は、それぞれ「第１の各種情報記憶部２０」、「第２の各種情報記憶部３０」、「第３の各種情報記憶部４０」、「第４の各種情報記憶部５０」、「第５の各種情報記憶部６０」、「第６の各種情報記憶部７０」の主な構成を示す概略ブロック図である。これらの記憶部２０等の内容については後述する。
【００２８】
また、図１の施肥量情報管理装置１０は、コンピュータを有し、コンピュータは、図示しないＣＰＵ（Ｃｅｎｔｒａｌ  Ｐｒｏｃｅｓｓｉｎｇ  Ｕｎｉｔ）、ＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）等を有し、これらは、バス等を介して接続されている。
【００２９】
本実施の形態では、例えば、北海道Ａ町に例えば植物Ｐの畑である圃場Ｘを有している利用者が、自己の図２に示すトラクタ１で、圃場Ｘを走行し、植物Ｐの生育状況の情報を取得する例を用いて、以下説明する。
【００３０】
利用者が、圃場Ｘで、図２に示すように、トラクタ１を走行させると共に図１の施肥量情報管理装置１０を動作させる。
すると、施肥量情報管理装置１０のレーザ発光装置１３が２つの波長の異なるレーザ光（第１の測定光（赤）と第２の測定光（赤外））を同一の地点の植物Ｐに照射すると共に、レーザ受光部１４それぞれの反射光を取得し、反射率（赤のレーザの反射率（Ｒ）、赤外のレーザの反射率（ＩＲ））を図３の「反射率記憶部２１」に記憶する。
【００３１】
次いで、図３の「植生指数情報生成処理部（プログラム）２２」が動作し、図３の「反射率記憶部２１」と「植生指数計算式記憶部２３」のデータを参照する。
植生指数計算式記憶部２３には、例えば、「植生指数（ＮＤＶＩ）＝（ＩＲーＲ）／（ＩＲ＋Ｒ）」が記憶されている。
【００３２】
なお、この植生指数は、植物Ｐ等の栄養素の量等を示すものである。
したがって、「植生指数情報生成処理部（プログラム）２２」が動作し、上記の計算式に、上記の反射率を代入することで、植生指数を得ることができる。
本実施の形態では、植物の生育指数を求める方法として植生指数を挙げたが、植物の生育状況を示すものであれば、他の手法でも構わない。
【００３３】
また、「植生指数情報生成処理部（プログラム）２２」は、この求められた「植生指数」情報に、図１のＧＰＳ装置１２から得た当該測定地点の位置情報（緯度、経度）と、時計１５から取得した当該測定の時刻情報を関連付けて、図３の「植生指数情報記憶部２４」に記憶される。
【００３４】
したがって、この植生指数情報記憶部２４に記憶される植生指数情報は、その測定の年月日（例えば、２０１５年１２月２０日）、時刻（１２：００）、緯度及び経度の位置情報と共に、栄養素の量である「植生指数」に情報が相互に関連付けられて記憶されることになる。
【００３５】
この植生指数情報の取得が、圃場Ｘで実施されることで、植生指数情報記憶部２４は、圃場Ｘの植生指数情報を分けることなく、まとめて記憶する。
【００３６】
次いで、このようにして取得した図３の圃場Ｘの「植生指数情報」を利用者が見やすい施肥量マップ等の情報に加工する工程を、図９乃至図１３のフローチャートを用いて以下説明する。
【００３７】
図９乃至図１１は、利用者が圃場Ｘに肥料等を供給するための情報を示す「施肥量マップ」を生成等する工程を示す概略フローチャートである。
先ず、図９のステップ（以下「ＳＴ」という。）１で、利用者が図１の各種情報入力装置１７を操作し、ディスプレイ１６に、自己の圃場Ｘの「施肥量マップ」を表示するように入力する。
【００３８】
すると、ＳＴ２へ進む。ＳＴ２では、図４の「第１次生育データ表示情報生成処理部（プログラム）３１」が動作し、図３の「地図情報記憶部２５」、「植生指数情報記憶部２４」及び「表示記号記憶部２６」を参照する。
そして、「植生指数情報」が存在する地図情報の地点に、表示記号である丸印を付し、「第１次生育データ表示情報」として図４の「第１次生育データ表示情報記憶部３２」に記憶する。
【００３９】
図１２は、圃場Ｘの植生指数情報に基づいて、情報が存在する地図情報の地点に丸印を付した「第１次生育データ表示情報」を示す概略説明図である。
図１２に示すように、圃場Ｘでトラクタ１が走行し、植生指数情報を取得した地点には丸印が付されることになる。
【００４０】
次いで、ＳＴ３へ進む。ＳＴ３では、図４の「グリッド付き第１次生育データ表示情報生成処理部（プログラム）３３」が動作し、図４の「グリッド情報記憶部３４」と「第１次生育データ表示情報記憶部３２」を参照する。
ここで「グリッド情報記憶部３４」には、圃場部分で区画である例えば、格子上のグリッド情報が記憶されている。
そして、第１次生育データ表示情報に、このグリッド情報を組み合わせて「グリッド付き第１次生育データ表示情報」を生成し、図４の「グリッド付き第１次生育データ表示情報記憶部３５」に記憶される。
【００４１】
図１３は、図１２の圃場Ｘにグリッド情報を組み合わせた「グリッド付き第１次生育データ表示情報」を示す概略説明図である。
図１３で示すように、各グリッドＧが「第１次生育データ表示情報（丸印）」と組み合わされて記憶され、グリッド付き第１次生育データ表示情報が生成されることになる。
【００４２】
次いで、ＳＴ４へ進む。ＳＴ４では、図４の「グリッド付き第１次生育データ表示情報記憶部３５」を参照し、各グリッドに「第１次生育データ表示情報（丸印）」が存在するか否かを判断する。
例えば、図１３のグリッドＧ１は、図示されているように、グリッドＧ１内に「第１次生育データ表示情報（丸印）」が複数存在する。
したがって、この場合は、ＳＴ５で、各グリッドに「第１次生育データ表示情報（丸印）」が存在すると判断し、ＳＴ６へ進む。
【００４３】
ＳＴ６では、図４の「グリッド単位正規化差植生指数情報生成処理部（プログラム）３６」が動作し、「第１次生育データ表示情報（丸印）」が存在するグリッド全てにつき、各グリッドに存在する「第１次生育データ表示情報（丸印）」に対応する図３の「植生指数情報記憶部２４」の「植生指数情報（例えば、４３．１等）」を抽出し、グリッド毎に平均化処理する。
【００４４】
すなわち、図１３の全グリッドのうち、「第１次生育データ表示情報（丸印）」が存在する全てのグリッド内の「植生指数情報（例えば、４３．１等）」が平均処理される。
そして、平均化された情報を「グリッド単位植生指数情報」として図５の「グリッド単位植生指数情報記憶部４１」に記憶される。
【００４５】
次いで、ＳＴ７へ進む。また、図１３のグリッドＧ２のように、グリッドＧ２内に「第１次生育データ表示情報（丸印）」が存在しない場合で、ＳＴ５で、各グリッドに「第１次生育データ表示情報（丸印）」が存在しない判断されたときもＳＴ７へ進む。
【００４６】
ＳＴ７では、図５の「推定グリッド単位植生指数情報生成処置部（プログラム）４２」が動作し、図５の「グリッド単位植生指数情報記憶部４１」を参照し、当該存在しないグリッドの周囲の一定の範囲内のグリッドに関する「グリッド単位植生指数情報」を抽出する。
【００４７】
そして、当該第１次生育データ表示情報（丸印）が存在しないグリッドに近いグリッドの情報により重みを付ける「逆距離加重法（ＩＤＷ（Ｉｎｖｅｒｓｅ  ｄｉｓｔａｎｃｅ  ｗｅｉｇｈｔｉｎｇ））」で、当該グリッド、例えば、図１３のグリッドＧ２の平均化された「植生指数」を推定する。
【００４８】
すなわち、逆距離加重法は、距離の逆数を重みとした加重平均で値を求め、値が存在しないグリッドの平均値を推定して補間する方法である。
このようにして、第１次生育データ表示情報（丸印）が存在しない（例えば、図１３のグリッドＧ２等）の「グリッド単位植生指数情報」を推定し、「推定グリッド単位植生指数情報」を生成し、図５の「推定グリッド単位植生指数情報記憶部４３」に記憶する。
【００４９】
このように本実施の形態では、グリッドＧ２内に「第１次生育データ表示情報（丸印）」が存在しない場合でも、当該グリッドの平均化された「植生指数」を推定することができ、利用者にとって使い易い構成となっている。
また、本実施の形態では、植生指数を点ではなく、グリッド単位の情報として利用者に示すので、利用者にとって利用し易い情報となっている。
【００５０】
次いで、ＳＴ８へ進む。ＳＴ８では、図５の「独立圃場情報処理部（プログラム）４４」が動作し、「グリッド単位植生指数情報記憶部４１」及び「推定グリッド単位植生指数情報記憶部４２」の情報を参照し、圃場の境界線を特定し、境界線内の領域（「グリッド単位植生指数情報４１」と「推定グリッド単位植生指数情報４２」）を独立圃場として「独立圃場情報記憶部４５」に記憶する。
【００５１】
次いで、ＳＴ９へ進む。ＳＴ９では、ディスプレイ１６に「施肥量マップ」の「メニュー」が表示され、利用者が、ＳＴ１０では「施肥量マップ」のメニューのうち「生育データ」をクリックして選択する。
すると、ＳＴ１１へ進む。ＳＴ１１では、図６の「生育マップ生成処理部（プログラム）５１」が動作して、図５の「独立圃場情報記憶部４５」及び「生育マップ表示用色彩情報記憶部４６」を参照する。
【００５２】
この「生育マップ表示用色彩情報記憶部４６」には、生育マップ表示用色彩情報が記憶され、同情報は、例えば、生育状況の程度によって「良」「標準」「不良」と分け、「良」には、「濃い緑」、「標準」には「標準の緑」、「不良」には「薄い緑」を付するように記憶され、さらに、各「良」「標準」及び「不良」は、グリッド単位植生指数と推定グリッド単位植生指数情報の範囲によって区分している。
【００５３】
そして、ＳＴ１１では、「独立圃場情報」の「グリッド単位植生指数情報」及び「推定グリッド単位植生指数情報」の各グリッドの数値に対応する色（濃い緑（良）、標準の緑（標準）、薄い緑（不良））を特定して、各グリッドに当てはめて「生育マップ情報」として、図６の「生育マップ情報記憶部５２」に記憶させる。
【００５４】
次いで、ＳＴ１２では、「生育マップ情報記憶部５２」の生育マップ情報、例えば、圃場Ｘの生育マップ情報をディスプレイ１６に表示する。
図１４は、ディスプレイ１６に示された圃場Ｘの生育マップ情報を示す概略説明図である。
同図において、濃い緑（良）は、３本ハッチング、標準の緑（標準）は、１本ハッチング、そして、薄い緑（不良）は、ハッチングなしで示されている。
【００５５】
次いで、ディスプレイ１６を視認している利用者が、圃場Ｘの施肥量計画を定める参考に、圃場Ｘの施肥量マップの表示を希望するときは、図１４の左側に表示されている「メニュー」のうち「処方箋」タブをクリックする。
同メニューのうち「生育データ」のタブをクリックする、図１４の生育マップ情報が表示され、「生育平均」のタブをクリックすると、複数年の平均の生育データが表示される構成となっている。
【００５６】
次いで、ＳＴ１３で、利用者が「処方箋」をクリックすると、図６の「施肥量情報生成処理部（プログラム）５３」が動作し、「生育マップ情報記憶部５２」及び「植生指数対応施肥量情報記憶部５４」を参照する。
この「植生指数対応施肥量情報記憶部５４」は、「生育マップ情報」の「植生指数情報」である数値に対応する「施肥量情報」例えば、ｋｇ等の数値情報が記憶されている。
したがって、本工程では、「生育マップ情報」、具体的には、「グリッド単位植生指数情報」及び「推定グリッド単位植生指数情報」の各グリッドの数値情報に対応する「施肥量情報」、例えば、ｋｇ等の数値を特定する。
【００５７】
さらに、「施肥量表示用色彩情報記憶部５５」を参照する。
この「施肥量表示用色彩情報記憶部５５」は、圃場における肥料の供給量の大小によって色彩情報である例えば、色彩を区分する基準が記憶されている。
具体的には、施肥量大のときは、例えば、・・・ｋｇ〜・・・ｋｇ、対応する色彩は「濃い赤」、施肥量標準のときは、例えば、・・・ｋｇ〜・・・ｋｇ、色彩は「標準の赤」そして、施肥量小のときは、例えば、・・・ｋｇ〜・・・ｋｇ、色彩は「薄い赤」とすべき旨の情報が記憶されている。
【００５８】
そして、本工程では、施肥量の数値等に対応する色を（濃い赤（大）、標準の赤（標準）、薄い赤（小））を特定して、各グリッドに当てはめて「施肥量マップ情報」として、「施肥量マップ情報記憶部５６」に記憶させる。
なお、「施肥量マップ情報」が、施肥量計画情報の一例となっている。
【００５９】
次いで、ＳＴ１５へ進む。ＳＴ１５では、図６の「施肥量マップ情報記憶部５６」の施肥量マップ情報をディスプレイ１６に表示する。
図１５は、ディスプレイ１６に表示された圃場Ｘの施肥量マップ情報を示す概略説明図である。
図１５では、圃場Ｘの「濃い赤（施肥量大）」、「標準の赤（施肥量標準）」及び「薄い赤（施肥量小）」は、それぞれ、「３本ハッチング」、「１本ハッチング」及び「ハッチングなし」で示されている。
【００６０】
図１５で示されているように、施肥量は、図５の「独立圃場情報記憶部４５」の独立圃場情報のデータに基づいて、自動的に表示される。
したがって、利用者は、自己の圃場Ｘの全体の施肥量計画情報（施肥量マップ情報）を自動的に取得でき、測定した生育情報から自ら施肥量計画情報を作成するという煩雑な作業から解放されることになる。
【００６１】
また、ＳＴ１５では、ディスプレイ１６に、施肥量マップ情報と共に図６の「処方箋設定項目情報記憶部５７」の項目情報であるウインドウ情報とデフォルト値が表示される。
具体的には、図１５に示すように、「圃場平均投入量（「１０ｋｇ／１０ａ」がデフォルト値）、生育率１０％当たりの増減（「１５ｋｇ／１０ａ」がデフォルト値）等の項目）が表示される。
【００６２】
次いで、ＳＴ１６へ進む。ＳＴ１６で、利用者が、「処方箋設定項目」の入力変更があったか否かを判断する。
具体的には、図１５の「圃場平均投入量（ｋｇ／１０ａ）」や「生育率（１０％当たりの増減（ｋｇ／１０ａ））」等の数値を変更する入力があったか否かが判断される。
【００６３】
ＳＴ１６で、入力変更があったと判断されたときは、ＳＴ１７へ進む。ＳＴ１７では、図７の「処方箋設定項目入力処理部（プログラム）６１」が動作し、入力された処方箋設定項目情報に従い、図６の「処方箋設定項目情報記憶部５７」の「処方箋設定項目情報」を変更する。
【００６４】
次いで、ＳＴ１８へ進む。ＳＴ１８では、図７の「施肥量情報生成処理部（プログラム）６２」が動作し、図６の「生育マップ情報記憶部５２」及び「植生指数対応施肥量情報記憶部５４」を参照する。
そして、「生育マップ情報」（「グリッド単位植生指数情報」及び「推定グリッド単位植生指数情報」の各グリッドの数値））に対応する「施肥量情報（例えば、ｋｇ等の数値）」を特定する。
さらに、「施肥量表示用色彩情報記憶部５５」を参照し、施肥量の数値等に対応する色を（濃い赤（大）、標準の赤（標準）、薄い赤（小））を特定して、各グリッドに当てはめて「施肥量マップ情報記憶部５６」に記憶する。
【００６５】
すなわち、図１５の「圃場平均投入量」や「生育１０％当たりの増減」の数値が利用者によって変更されたときは、その変更後の数値に従い、施肥量マップ情報が変更され、変更後の情報で「施肥量マップ情報記憶部５６」に記憶される。
【００６６】
このように、本実施の形態では、施肥量マップの自動作成データ利用者よって、容易に変更させることができ、また、変更された基準情報である圃場平均投入量等の数値は自動的に図６の「処方箋設定項目情報記憶部５７」に変更記憶されるので、次回からは、この変更後の情報に基づいて「施肥量マップ」が自動作成される。
したがって、利用者にとって、極めて使い易い装置となっている。
【００６７】
次いで、ＳＴ１９へ進む。ＳＴ１９では、図６の「施肥量マップ情報記憶部５３」の施肥量マップ情報をディスプレイ１６に表示すると共に変更後の「処方箋設定項目」をウインドウに示す。
すなわち、変更後の圃場平均投入量（例えば、９ｋｇに変更したときは、９ｋｇ／１０ａに変更）、生育率１０％当たりの増減（例えば、１．４ｋｇに変更したときは、１．４ｋｇ／１０ａに変更）等の項目がディスプレイ１６に表示されると共にデフォルト値とし、デフォルト値が変更される。
【００６８】
これにより、利用者が圃場Ｘに肥料等を供給するための情報を示す「施肥量マップ」を生成、表示等する工程が終了する。
次いで、利用者が圃場Ｘの部分について施肥量を任意に指定可能な「任意施肥量工程」について説明する。
図１６及び図１７は、任意施肥量指定工程を示す概略フローチャートである。
先ず、図１６のＳＴ３１で、利用者は、図１５に示すようなディスプレイ１６の画面中の「メニュー」のうち「任意施肥量」のタブをクリックし、選択する。
【００６９】
次いで、ＳＴ３２へ進む。ＳＴ３２では、図６の「施肥量マップ情報記憶部５６」の施肥量マップ情報をディスプレイ１６に表示すると共に、図１８に示すように「任意施肥量設定項目」のウインドウが開き、「追加」等の項目と、現在までに登録されている「施肥量と色のリスト」がディスプレイ１６に表示される。
この「施肥量と色のリスト」は、図７の「既登録施肥量及び色情報記憶部６４」に記載され、例えば、「施肥量：１２ｋｇ」、「色：黒」との登録があるため、これらの情報が表示される。
図１８は、任意施肥量のウインドウが開いた情報の画面例を示す概略説明図である。
【００７０】
利用者が、圃場Ｘの部分的に自動的に示された施肥量の変更等を行うときは、ＳＴ３３へ進む。ＳＴ３３では、図１８の「任意施肥量」の「追加」タブをクリックし、選択する。
すると、図１９に示すような追加用ウインドウが開く。図１９は、追加ウインドウを示す概略説明図である。
【００７１】
図１９の追加ウインドウでは、図示するように、利用者が指定したい「施肥量」の数値と、対応して登録したい色情報の入力が求められる。
次いで、ＳＴ３４で入力が終了したか否かが判断され、入力されたと判断されると、ＳＴ３５に進む。
ＳＴ３５では、入力された「施肥量」例えば、１０ｋｇ／１０ａと「色」例えば、黒を入力施肥量情報として、図７の「入力施肥量情報等記憶部６５」に記憶する。
【００７２】
次いで、ＳＴ３６へ進む。ＳＴ３６では、図８の「重複情報確認処理部（プログラム）７１」が動作し、図７の「入力施肥量情報等記憶部６５」と「既登録施肥量及び色情報記憶部６４」を参照する。
そして、「入力施肥量情報等記憶部６５」に登録されている色が、既に「既登録施肥量及び色情報記憶部６４」に登録されているか否かを判断する。
【００７３】
次いで、ＳＴ３７へ進み、ＳＴ３７で「色」が既に登録されていると判断されると、ＳＴ３８で、登録が拒絶される。
【００７４】
本実施の形態では、後述するように、施肥量（ｋｇ）の変更特定を「色」の指定で行うため、同じ色彩で異なる施肥量（ｋｇ）の登録がされることを未然に防止する構成となっている。
上述の例では、「施肥量１２ｋｇ」で「黒」の登録が既に、「既登録施肥量及び色情報記憶部６４」に登録されているため、黒色の登録は拒絶されることになる。
【００７５】
また、本実施の形態では、色の重複登録を防ぐため、上述のＳＴ３２で、現在までに登録されている「施肥量の色のリスト」が図１８に示すように、ディスプレイ１６に表示される。
したがって、色の入力をする利用者は、入力時に同時に、既登録の色情報を同じ画面で視認し確認することができるので、利用者は色を選択し易い構成となっている。
【００７６】
一方、ＳＴ７で、色、例えば、灰色の場合、既登録の黒と相違するため、既登録でないとして、ＳＴ３９へ進む。
ＳＴ３９では、入力された「１０ｋｇ／１０ａ」と「灰色」が、関連付けて「既登録施肥量及び色情報記憶部６４」に記憶される。
このように、入力された「１０ｋｇ／１０ａと灰色」が、修正施肥量計画情報の一例となっている。
【００７７】
次いで、ＳＴ４０へ進む。ＳＴ４０では、ディスプレイ１６に、図２０に示すように「「現在の任意施肥量」及び「施肥量の指定（「ポイント」、「矩形」、「多角形」等）」等を表示させる。
図２０は、「現在の任意施肥量」及び「施肥量の指定」等の項目の画面例を示す概略説明図である。
図２０に示すように、ディスプレイ１６上には、「現在の任意施肥量」、例えば、「灰色（１０ｋｇ／１０ａ）」が表示され、その下に、圃場Ｘの部分又は全体について、施肥量の指定をする方法が複数示される。
【００７８】
例えば、図２０に示すように、「ポイント」、「矩形」及び「多角形」である。このうち「ポイント」は「１グリッド毎に指定する方法」であり、「矩形」は「四角形で囲まれた領域を指定する方法」である。そして、「多角形」は「多角形で囲まれた領域を指定する方法」である。
なお、この「矩形」等が概略範囲情報の一例となっている。
【００７９】
次いで、ＳＴ４１へ進む。ＳＴ４１では、この表示された「灰色（１０ｋｇ）」での指定、そして、「施肥量範囲の指定方法」の選択（例えば、矩形）が行われる。
本実施の形態では、指定された施肥量範囲について色が指定されると、自動的に当該色と関連付けられた「施肥量（１０ｋｇ／１０ａ）」が当該範囲に指定された値となる。
【００８０】
次いで、ＳＴ４２へ進む。ＳＴ４２では、選択された「色（灰色）」及び「施肥量範囲の指定方法（矩形）」を図８の「施肥量範囲選択情報記憶部７２」に記憶する。
【００８１】
次いで、ＳＴ４３へ進む。ＳＴ４３では、利用者が図２０の「矩形」で圃場Ｘを含む一部分の範囲を指定する。
そして、ディスプレイ１６に表示された「施肥量マップ情報記憶部５３」の「施肥量マップ情報（例えば、圃場Ｘの施肥量マップ情報）」と矩形情報（ｋ）を組み合わせ、矩形情報（ｋ）の画面上の座標情報と「施肥量マップ情報」を関連付けて図８の「指定範囲情報記憶部７３」に記憶させる。
【００８２】
次いで、ＳＴ４４へ進む。ＳＴ４４では、図８の「指定施肥量範囲色情報生成処理部（プログラム）７４」が動作し、図８の「指定範囲情報記憶部７３」を参照し、「矩形情報」と「施肥量マップ」のグリッドとの重複部分（図２０のＷで示す破線部分）を「指定施肥量範囲」として、選択された「色（灰色）」情報と関連付けて、「指定施肥量範囲色情報」として図８の「指定施肥量範囲色情報記憶部７５」に記憶する。
【００８３】
次いで、ＳＴ４５へ進む。ＳＴ４５では、図８の「指定施肥量範囲色情報記憶部７５」を参照し、ディスプレイ１６に示された圃場Ｘの「指定施肥量範囲色情報」の部分を「色（例えば、灰色（１０ｋｇ／１０ａ）」で表示する。
具体的には、図２０の圃場Ｘのグリッドとの重複部分である圃場Ｘの「指定施肥量範囲色情報」の部分（破線で示すＷの部分）を灰色で表示する。
【００８４】
このように、本実施の形態によれば、利用者は、正確に修正対象の圃場部分を指定する必要はなく、対象の圃場部分以外の部分も含む矩形等で指定すれば指定は足りる。
そして、圃場Ｘ部分以外は自動的に指定施肥量範囲の対象外となるので、利用者にとって使い易い装置となっている。
【００８５】
また、本実施の形態では、利用者が任意に施肥量を指定する範囲である「指定範囲施肥量範囲」は、指定した施肥量が色情報（数値１０ｋｇ／１０ａ）として表示されるので、利用者はディスプレイ１６を視認するだけで容易に把握することができることになる。
そして、利用者は、利用者が任意に指定する施肥量は、登録された色で指定されれば足り、数値等で指定する必要がないので、指定し易い構成となっている。
【００８６】
このように、本実施の形態では、生育状況に関する独立圃場情報に基づき自動的に生成され、ディスプレイ１６に表示された施肥量マップ情報を視認しながら、利用者は当該施肥量マップ情報のうち部分的に圃場Ｘについて施肥量を修正したい部分を修正することができる。
そして、この修正は、利用者が範囲を矩形と色で指定するだけで済むので極めて使用し易い装置となっている。
このように本実施の形態では、利用者の煩雑な作業を可能な限り削減し、併せて各圃場の実情にあった特徴ある施肥量計画も実現させることができる。
【００８７】
なお、本実施の形態では、図２０に示すように、「任意施肥量」には、「追加」の他に「編集」や「削除」タグも存在する。
このうち、「編集」タブをクリックすると、図１９の施肥量を例えば、「１０」から「１２」へ変更することができると共に、色を「黒」から「灰色」に変更することができる。
そして、「編集」で変更したときは、ディスプレイ１６に変更前の色で示された、例えば、図２０のＷ部分は、変更後の色に自動的に変更される。
【００８８】
また「削除」タブをクリックすると、図１８の「施肥量と色のリスト」のうち、任意の項目を削除することができる。これにより、当該削除された「施肥量と色」は、図１８の「施肥量と色のリスト」に以後、表示されなくなる。
【００８９】
なお、本発明は上述の実施の形態に限らない。
【符号の説明】
【００９０】
１・・・トラクタ、１０・・・施肥量情報管理装置、１１・・・施肥量情報管理装置制御部、１２・・・ＧＰＳ装置、１３・・・レーザ発光装置、１４・・・レーザ受光部、１５・・・時計、１６・・・ディスプレイ、１７・・・各種情報入力部、２０・・・第１の各種情報記憶部、２１・・・反射率記憶部、２２・・・植生指数情報生成処理部（プログラム）、２３・・・植生指数計算式記憶部、２４・・・植生指数情報記憶部、２５・・・地図情報記憶部、２６・・・表示記号記憶部、３０・・・第２の各種情報記憶部、３１・・・第１次生育データ表示情報生成処理部（プログラム）、３２・・・第１次生育データ表示情報記憶部、３３・・・グリッド付き第１次生育データ表示情報生成処理部（プログラム）、３４・・・グリッド情報記憶部、３５・・・グリッド付き第１次生育データ表示情報記憶部、３６・・・グリッド単位植生指数情報生成処理部（プログラム）、４０・・・第３の各種情報記憶部、４１・・・グリッド単位植生指数情報記憶部、４２・・・推定グリッド単位植生指数情報生成処置部（プログラム）、４３・・・推定グリッド単位植生指数情報記憶部、４４・・・独立圃場情報処理部（プログラム）、４５・・・独立圃場情報記憶部、４６・・・生育マップ表示用色彩情報記憶部、５０・・・第４の各種情報記憶部、５１・・・生育マップ生成処理部（プログラム）、５２・・・生育マップ情報記憶部、５３・・・施肥量情報生成処理部（プログラム）、５４・・・植生指数対応施肥量情報記憶部、５５・・・施肥量表示用色彩情報記憶部、５６・・・施肥量マップ情報記憶部、５７・・・処方箋設定項目情報記憶部、６０・・・第５の各種情報記憶部、６１・・・処方箋設定項目入力処理部（プログラム）、６２・・・施肥量情報生成処理部（プログラム）、６４・・・既登録施肥量及び色情報記憶部、６５・・・入力施肥量情報等記憶部、７０・・・第６の各種情報記憶部、７１・・・重複情報確認処理部（プログラム）、７２・・・施肥量範囲選択情報記憶部、７３・・・指定範囲情報記憶部、７４・・・指定施肥量範囲色情報生成処理部（プログラム）、７５・・・指定施肥量範囲色情報記憶部、Ｐ・・・植物
【図１】
2018042524.tif 000003
【図２】
2018042524.tif 000004
【図３】
2018042524.tif 000005
【図４】
2018042524.tif 000006
【図５】
2018042524.tif 000007
【図６】
2018042524.tif 000008
【図７】
2018042524.tif 000009
【図８】
2018042524.tif 000010
【図９】
2018042524.tif 000011
【図１０】
2018042524.tif 000012
【図１１】
2018042524.tif 000013
【図１２】
2018042524.tif 000014
【図１３】
2018042524.tif 000015
【図１４】
2018042524.tif 000016
【図１５】
2018042524.tif 000017
【図１６】
2018042524.tif 000018
【図１７】
2018042524.tif 000019
【図１８】
2018042524.tif 000020
【図１９】
2018042524.tif 000021
【図２０】
2018042524.tif 000022